(57)【要約】【課題】ＳＴＮ液晶表示装置の駆動回路及び駆動方法を提供する。【解決手段】サブフレームカウンタ、Ｎクロックカウンタ、フレームカウンタ及び液晶極性反転信号発生部を備えることを特徴とするＳＴＮ液晶表示装置の駆動回路である。サブフレームカウンタはクロック信号に応じてサブフレームの数をカウントし、１つのサブフレームがカウントされるたびにサブフレームフラグ信号を発生する。ＮクロックカウンタはＮライン信号を受信し、前記クロック信号に応じてＮ本のラインがカウントされるたびにＮラインフラグ信号を発生する。フレームカウンタは所定のフレームレート・コントロール選択信号を受信して前記サブフレームフラグ信号の数をカウントし、ｎ個の前記サブフレームフラグ信号がカウントされるたびにフレームフラグ信号を発生する。液晶極性反転信号発生部は選択信号に応じて前記サブフレームフラグ信号、前記Ｎラインフラグ信号及び前記フレームフラグ信号のうち一つを受信してＳＴＮ液晶の極性を反転させる液晶極性反転信号を発生する。【選択図】図５
2004170981.tif 000002
【特許請求の範囲】
【請求項１】
ＳＴＮ液晶表示装置の駆動回路において、
クロック信号に応じてサブフレームの数をカウントし、１つのサブフレームがカウントされるたびにサブフレームフラグ信号を発生するサブフレームカウンタと、
Ｎライン信号を受信し、前記クロック信号に応じてＮ本のラインがカウントされるたびにＮラインフラグ信号を発生するＮクロックカウンタと、
所定のＦＲＣ（フレームレート・コントロール）選択信号を受信して前記サブフレームフラグ信号の数をカウントし、ｎ個の前記サブフレームフラグ信号がカウントされるたびにフレームフラグ信号を発生するフレームカウンタと、
選択信号に応じて前記サブフレームフラグ信号、前記Ｎラインフラグ信号及び前記フレームフラグ信号のうち一つを受信してＳＴＮ液晶の極性を反転させる液晶極性反転信号を発生する液晶極性反転信号発生部と、
を備えることを特徴とするＳＴＮ液晶表示装置の駆動回路。
【請求項２】
前記ＳＴＮ液晶表示装置の駆動回路は、
データを受信して前記液晶極性反転信号に応じてＳＴＮ液晶のカラム電極を駆動するセグメント電圧を発生するカラムドライバと、
ロウ選択信号を受信して前記液晶極性反転信号に応じてＳＴＮ液晶のロウ電極を駆動するコモン電圧を発生するロウドライバと、
をさらに備えることを特徴とする請求項１に記載のＳＴＮ液晶表示装置の駆動回路。
【請求項３】
前記ＦＲＣ選択信号は、
ＳＴＮ液晶の駆動方式がｎＦＲＣ方式であるか否かに関する情報を有し、前記ｎは自然数であることを特徴とする請求項１に記載のＳＴＮ液晶表示装置の駆動回路。
【請求項４】
前記Ｎライン信号は、
フレームをＮ等分するための情報を有し、前記Ｎは自然数であることを特徴とする請求項１に記載のＳＴＮ液晶表示装置の駆動回路。
【請求項５】
ＳＴＮ液晶表示装置の駆動方法において、
（ａ）クロック信号に応じてサブフレームの数をカウントし、１つのサブフレームがカウントされるたびにサブフレームフラグ信号を発生する段階と、
（ｂ）所定のＮライン信号を受信し、前記クロック信号に応じてＮ本のラインがカウントされるたびにＮラインフラグ信号を発生する段階と、
（ｃ）所定のＦＲＣ選択信号を受信して前記サブフレームフラグ信号の数をカウントし、ｎ個の前記サブフレームフラグ信号がカウントされるたびにフレームフラグ信号を発生する段階と、
（ｄ）選択信号に応じて前記サブフレームフラグ信号、前記Ｎラインフラグ信号及び前記フレームフラグ信号のうち一つを選択し、ＳＴＮ液晶の極性を反転させる液晶極性反転信号を発生する段階と、
を含むことを特徴とするＳＴＮ液晶表示装置の駆動方法。
【請求項６】
前記ＳＴＮ液晶表示装置の駆動方法は、
（ｅ）データを受信して前記液晶極性反転信号に応じてＳＴＮ液晶のカラム電極を駆動するセグメント電圧を発生させる段階と、
（ｆ）ロウ選択信号を受信して前記液晶極性反転信号に応じてＳＴＮ液晶のロウ電極を駆動するコモン電圧（ｃｏｍ ｖｏｌｔａｇｅ）を発生させる段階と、
をさらに含むことを特徴とする請求項５に記載のＳＴＮ液晶表示装置の駆動方法。
【請求項７】
前記ＦＲＣ選択信号は、
ＳＴＮ液晶の駆動方式がｎＦＲＣ方式であるか否かに関する情報を有し、前記ｎは自然数であることを特徴とする請求項５に記載のＳＴＮ液晶表示装置の駆動方法。
【請求項８】
前記Ｎライン信号は、
フレームをＮ等分するための情報を有し、前記Ｎは自然数であることを特徴とする請求項５に記載のＳＴＮ液晶表示装置の駆動方法。
【請求項９】
ＳＴＮ液晶表示装置の駆動方法において、
（ａ）ＦＲＣ選択信号を受信してｎＦＲＣ方式であるか否かを判断する段階と、
（ｂ）サブフレームの数をカウントする段階と、
（ｃ）サブフレームの数がｎ個ならば、液晶の極性を反転させる液晶極性反転信号を発生する段階と、
を含むことを特徴とする液晶表示装置の駆動方法。
【請求項１０】
前記ＳＴＮ液晶表示装置の駆動方法は、
（ｄ）データを受信して前記液晶極性反転信号に応じてＳＴＮ液晶のカラム電極を駆動するセグメント電圧を発生させる段階と、
（ｅ）ロウ選択信号を受信して前記液晶極性反転信号に応じてＳＴＮ液晶のロウ電極を駆動するコモン電圧を発生させる段階と、
をさらに含むことを特徴とする請求項９に記載のＳＴＮ液晶表示装置の駆動方法。
【請求項１１】
ｎ個のサブフレームが１つのフレームを構成することを特徴とする請求項９に記載のＳＴＮ液晶表示装置の駆動方法。
【請求項１２】
ｎＦＲＣ方式により駆動されるＳＴＮ液晶表示装置の駆動方法において、
１つのフレームごとに液晶の極性を反転させる段階を含むことを特徴とするＳＴＮ液晶表示装置の駆動方法。
【請求項１３】
１つのフレームはｎ個のサブフレームより構成されることを特徴とする請求項１２に記載のＳＴＮ液晶表示装置の駆動方法。
【発明の詳細な説明】
【技術分野】
【０００１】
本発明はＳＴＮ（Ｓｕｐｅｒ Ｔｗｉｓｔｅｄ Ｎｅｍａｔｉｃ）液晶表示装置（ＬＣＤ）駆動回路に係り、特にＡＰＴまたはｉＡＰＴ方式を利用してＳＴＮ−ＬＣＤを駆動する方法のうちＦＲＣ（Ｆｒａｍｅ Ｒａｔｅ Ｃｏｎｔｒｏｌ）方式によりＳＴＮ−ＬＣＤを駆動する駆動回路及び駆動方法に関する。
【背景技術】
【０００２】
ＳＴＮ−ＬＣＤを駆動する方法のうちｉＡＰＴまたはＡＰＴ方式で階調及び色を表すためにパルス幅変調法及びＦＲＣ方式が広く使われている。また、パルス幅変調法及びＦＲＣ方式が混用される場合もある。
【０００３】
図１はＦＲＣ方式で液晶極性反転信号によるＳＴＮ液晶の駆動電圧のレベルを示した表である。
【０００４】
液晶極性反転信号Ｍは液晶の固形化を防止するための周期信号である。すなわち、液晶極性反転信号Ｍのレベルが周期的に反転されて液晶が固まることを防止できる。液晶極性反転信号Ｍのレベルが反転されれば、ＳＴＮ液晶のカラム電極を駆動するセグメント電圧ＶＳＥＧとＳＴＮ液晶のロウ電極を駆動するコモン電圧（ｃｏｍ ｖｏｌｔａｇｅ）ＶＣＯＭのレベルも反転される。
【０００５】
図１を参照してさらに説明すれば、液晶極性反転信号Ｍがハイレベルである場合、セグメント電圧ＶＳＥＧの選択電圧レベルはＶ０であり、液晶極性反転信号Ｍがローレベルである場合、セグメント電圧ＶＳＥＧの選択電圧レベルはＶｓｓである。
【０００６】
セグメント電圧ＶＳＥＧの電圧レベルはＶ０＞Ｖ２＞Ｖ３＞Ｖｓｓと区分される。
【０００７】
液晶極性反転信号Ｍがハイレベルである場合、セグメント電圧ＶＳＥＧの非選択電圧レベルはＶ２であり、液晶極性反転信号Ｍがローレベルである場合、セグメント電圧ＶＳＥＧの非選択電圧レベルはＶ３である。
【０００８】
コモン電圧ＶＣＯＭの電圧レベルもセグメント電圧ＶＳＥＧと同様に、液晶極性反転信号Ｍのレベルにより反転される。
【０００９】
セグメント電圧ＶＳＥＧやコモン電圧ＶＣＯＭが選択電圧の電圧レベルを有すれば、液晶がターンオンされて暗く表示され、非選択電圧の電圧レベルを有すれば液晶がターンオフされて明るく表示される。
【００１０】
ところで、ＦＲＣ方式でセグメント電圧ＶＳＥＧの非選択電圧であるＶ２とＶ３とが時間によって不均一に使われると、液晶にクロストーク（色の劣化）現象が発生するという問題がある。
【００１１】
図２は従来の３ＦＲＣ方式によるＳＴＮ液晶駆動方式におけるセグメント電圧の波形を説明する図面である。
【００１２】
ｎＦＲＣ方式で１つのフレームはｎ個のサブフレームより構成される。従って、３ＦＲＣ方式では１つのフレームは３つのサブフレームに区分されている。図２にて、右側の正方形は液晶の色を分りやすく説明したものである。
【００１３】
すなわち、図２（Ａ）は黒、図２（Ｂ）はダークグレイ、図２（Ｃ）はライトグレイ、図２（Ｄ）は白と定義されうる。
【００１４】
サブフレームごとに液晶極性反転信号Ｍのレベルが反転される。従って、６つのサブフレームごとに同じ信号が反復されて示される。
【００１５】
最初のサブフレームにて液晶極性反転信号Ｍがハイレベルであり、二番目のサブフレームにて液晶極性反転信号Ｍがローレベルに反転され、このような関係が続くとすれば、ダークグレイを表すためには３つのサブフレームのうち２つは黒を表し、１つは白を表さなければならない。
【００１６】
図２（Ｂ）について述べれば、ダークグレイを表すために液晶極性反転信号Ｍがハイレベルである最初のサブフレームにてセグメント電圧ＶＳＥＧは選択電圧であるＶ０レベルを有し、液晶極性反転信号Ｍがローレベルである二番目のサブフレームにてセグメント電圧ＶＳＥＧは選択電圧であるＶｓｓレベルを有する。さらに、液晶極性反転信号Ｍがハイレベルである三番目のサブフレームにてセグメント電圧ＶＳＥＧは非選択電圧であるＶ２レベルを有する。このような３つのサブフレームが６０Ｈｚ以上の周期で連続的に表される場合、肉眼ではこれをダークグレイと認識される。この時、合計６つのサブフレームの間で選択電圧であるＶ０とＶｓｓ及び非選択電圧であるＶ２とＶ３とが均一に使われるので、液晶にクロストーク現象が発生しない。
【００１７】
図３は従来の４ＦＲＣ方式によるＳＴＮ液晶駆動方式におけるセグメント電圧の波形を説明する図面である。
【００１８】
１つのフレームが４つのサブフレームより構成される。図３（Ｂ）を見れば、非選択電圧としてＶ３レベルだけが使われてＶ２レベルは使われないでいる。また、選択電圧であるＶ０レベルとＶｓｓレベルのうちＶ０レベルの方がより多く用いられている。
【００１９】
図３（Ｃ）を見れば、選択電圧であるＶ０レベルとＶｓｓレベルとが均等に使われており、非選択電圧であるＶ２レベルとＶ３レベルも均等に使われている。
【００２０】
また、図３（Ｄ）を見れば、非選択電圧としてＶ３レベルがＶ２レベルよりも多く用いられている。また、選択電圧としてＶ０レベルだけが使われてＶｓｓレベルは使われていない。
従って、図３（Ｂ）と図３（Ｄ）の波形では液晶にクロストーク現象が発生し、図３（Ｃ）の波形では液晶にクロストーク現象が発生しない。
【００２１】
図４はＮライン・インバージョン方式によるＳＴＮ液晶駆動方式におけるセグメント電圧の波形を説明する図面である。
【００２２】
Ｎライン・インバージョン方式は図３及び図４に示されたクロストーク現象を防止するための方式のうちの一つである。Ｎライン・インバージョン方式は１つのフレームをＮ等分してＮ等分されたサブフレームごとに液晶極性反転信号Ｍのレベルを反転させる方式である。
【００２３】
図４を参照すれば、選択電圧と非選択電圧のレベルがほとんど均等に使われていることが分かる。従って、液晶にクロストーク現象が発生することを抑えることができる。
【００２４】
しかし、Ｎライン・インバージョン方式はセグメント電圧ＶＳＥＧのトランジション回数が増えるので、電力消耗が増えるという問題がある。すなわち、ｎＦＲＣ方式ではクロストーク現象が問題になり、クロストーク現象の発生を防止するためのＮライン・インバージョン方式では電力消費が増えるという問題がある。
【発明の開示】
【発明が解決しようとする課題】
【００２５】
本発明がなそうとする技術的課題は、選択電圧と非選択電圧の不均等な使用を防止しつつセグメント電圧のトランジション回数を減少させるＳＴＮ−ＬＣＤ駆動回路を提供するところにある。
【００２６】
本発明がなそうとする他の技術的課題は、選択電圧と非選択電圧の不均等な使用を防止しつつセグメント電圧のトランジション回数を減少させるＳＴＮ−ＬＣＤ駆動方法を提供するところにある。
【課題を解決するための手段】
【００２７】
前記技術的課題を達成するための本発明の第１の実施形態によるＳＴＮ−ＬＣＤ駆動回路は、サブフレームカウンタ、Ｎクロックカウンタ、フレームカウンタ及び液晶極性反転信号発生部を備えることを特徴とする。
【００２８】
サブフレームカウンタはクロック信号に応じてサブフレームの数をカウントし、１つのサブフレームがカウントされるたびにサブフレームフラグ信号を発生する。ＮクロックカウンタはＮライン信号を受信し、前記クロック信号に応じてＮ本のラインがカウントされるたびにＮラインフラグ信号を発生する。
【００２９】
フレームカウンタは所定のＦＲＣ選択信号を受信して前記サブフレームフラグ信号の数をカウントし、ｎ個の前記サブフレームフラグ信号がカウントされるたびにフレームフラグ信号を発生する。
【００３０】
液晶極性反転信号発生部は選択信号に応じて前記サブフレームフラグ信号、前記Ｎラインフラグ信号及び前記フレームフラグ信号のうち一つを受信してＳＴＮ液晶の極性を反転させる液晶極性反転信号を発生する。
【００３１】
前記ＳＴＮ−ＬＣＤ駆動回路はデータを受信して前記液晶極性反転信号に応じてＳＴＮ液晶のカラム電極を駆動するセグメント電圧を発生するカラムドライバ及びロウ選択信号を受信して前記液晶極性反転信号に応じてＳＴＮ液晶のロウ電極を駆動するコモン電圧を発生するロウドライバをさらに備えることを特徴とする。
【００３２】
前記ＦＲＣ選択信号はＳＴＮ液晶の駆動方式がｎＦＲＣ方式であるか否かに関する情報を有し、前記ｎは自然数である。前記Ｎライン信号はフレームをＮ等分するための情報を有し、前記Ｎは自然数である。
【００３３】
前記他の技術的課題を達成するための本発明の第１の実施形態によるＳＴＮ−ＬＣＤの駆動方法は、（ａ）クロック信号に応じてサブフレームの数をカウントし、１つのサブフレームがカウントされるたびにサブフレームフラグ信号を発生する段階、（ｂ）所定のＮライン信号を受信し、前記クロック信号に応じてＮ本のラインがカウントされるたびにＮラインフラグ信号を発生する段階、（ｃ）所定のＦＲＣ選択信号を受信して前記サブフレームフラグ信号の数をカウントし、ｎ個の前記サブフレームフラグ信号がカウントされるたびにフレームフラグ信号を発生する段階及び（ｄ）選択信号に応じて前記サブフレームフラグ信号、前記Ｎラインフラグ信号及び前記フレームフラグ信号のうち一つを選択し、ＳＴＮ液晶の極性を反転させる液晶極性反転信号を発生する段階を含むことを特徴とする。
【００３４】
前記ＳＴＮ−ＬＣＤ駆動方法は、（ｅ）データを受信して前記液晶極性反転信号に応じてＳＴＮ液晶のカラム電極を駆動するセグメント電圧を発生させる段階及び（ｆ）ロウ選択信号を受信して前記液晶極性反転信号に応じてＳＴＮ液晶のロウ電極を駆動するコモン電圧を発生させる段階をさらに含むことを特徴とする。
【００３５】
前記他の技術的課題を達成するための本発明の第２の実施形態によるＳＴＮ−ＬＣＤの駆動方法は、（ａ）ＦＲＣ選択信号を受信してｎＦＲＣ方式であるか否かを判断する段階、（ｂ）サブフレームの数をカウントする段階及び（ｃ）サブフレームの数がｎ個ならば液晶の極性を反転させる液晶極性反転信号を発生する段階を含むことを特徴とする。
【００３６】
前記ＳＴＮ−ＬＣＤ駆動方法は、（ｄ）データを受信して前記液晶極性反転信号に応じてＳＴＮ液晶のカラム電極を駆動するセグメント電圧を発生させる段階及び（ｅ）ロウ選択信号を受信して前記液晶極性反転信号に応じてＳＴＮ液晶のロウ電極を駆動するコモン電圧を発生させる段階をさらに含むことを特徴とする。
【００３７】
前記ＳＴＮ−ＬＣＤはｎ個のサブフレームが１つのフレームを構成することを特徴とする。
【００３８】
前記他の技術的課題を達成するための本発明の第３の実施形態によるｎＦＲＣ方式により駆動されるＳＴＮ−ＬＣＤの駆動方法は、１つのフレームごとに液晶の極性を反転させる段階を含むことを特徴とする。１つのフレームはｎ個のサブフレームより構成される。
【発明の効果】
【００３９】
本発明によるＳＴＮ−ＬＣＤ駆動回路及び駆動方法は選択電圧と非選択電圧の不均等な使用を防止しつつセグメント電圧のトランジション回数を減少させて液晶色の劣化現象を減少させるとともに電力消耗を減らすという効果がある。
【発明を実施するための最良の形態】
【００４０】
本発明と本発明の動作上の利点及び本発明の実施により達成される目的を十分に理解するためには、本発明の好適な実施の形態を例示する添付図面及び図面に記載された内容を参照せねばならない。
【００４１】
以下、添付した図面を参照して本発明の好適な実施の形態を説明することにより、本発明を詳細に説明する。各図面に示された同じ参照符号は同様の構成要素を示す。
【００４２】
図５は本発明の好適な実施の形態によるＳＴＮ−ＬＣＤ駆動回路を示すブロック図である。
【００４３】
図５を参照すれば、ＳＴＮ−ＬＣＤ駆動回路５００はサブフレームカウンタ５１０、Ｎクロックカウンタ５２０、フレームカウンタ５３０及び液晶極性反転信号発生部５４０を備える。
【００４４】
サブフレームカウンタ５１０はクロック信号ＣＬＫに応じてサブフレームの数をカウントし、１つのサブフレームがカウントされるたびにサブフレームフラグ信号ＳＦＦＬＡＧを発生する。
【００４５】
Ｎクロックカウンタ５２０はＮライン信号ＮＳを受信し、クロック信号ＣＬＫに応じてＮ本のラインがカウントされるたびにＮラインフラグ信号ＮＬＦＬＡＧを発生する。Ｎライン信号ＮＳはフレームをＮ等分（Ｎは自然数）するための情報を有する。
【００４６】
フレームカウンタ５３０は所定のＦＲＣ選択信号ＦＲＣＳＥＬを受信してサブフレームフラグ信号ＳＦＦＬＡＧの数をカウントし、ｎ個のサブフレームフラグ信号ＳＦＦＬＡＧがカウントされるたびにフレームフラグ信号ＦＦＬＡＧを発生する。ＦＲＣ選択信号ＦＲＣＳＥＬはＳＴＮ液晶の駆動方式がｎＦＲＣ方式（ｎは自然数）であるか否かに関する情報を有する。
【００４７】
液晶極性反転信号発生部５４０は、選択信号ＭＳＥＬに応じて、サブフレームフラグ信号ＳＦＦＬＡＧ、Ｎラインフラグ信号ＮＬＦＬＡＧ及びフレームフラグ信号ＦＦＬＡＧのうち一つを受信してＳＴＮ液晶の極性を反転させる液晶極性反転信号Ｍを発生する。
【００４８】
ＳＴＮ−ＬＣＤ駆動回路５００はカラムドライバ５５０及びロウドライバ５６０をさらに備える。カラムドライバ５５０はデータＤＡＴＡを受信して液晶極性反転信号Ｍに応じてＳＴＮ液晶のカラム電極を駆動するセグメント電圧ＶＳＥＧを発生する。
【００４９】
ロウドライバ５６０はロウ選択信号ＲＳＥＬを受信して液晶極性反転信号Ｍに応じてＳＴＮ液晶のロウ電極を駆動するコモン電圧ＶＣＯＭを発生する。
【００５０】
図５のＳＴＮ−ＬＣＤ駆動回路５００の動作は図８及び図９のＳＴＮ−ＬＣＤ駆動方法８００と共に説明されることが望ましいので、以下では図５、図８及び図９を参照してＳＴＮ−ＬＣＤ駆動回路５００の動作を説明する。なお、図８及び図９で示した処理の順番は、作図の便宜上のものであり、これに限定されず、並列的に実施されうる。
【００５１】
従来では、液晶の固形化を防止するためにそれぞれのサブフレームごとに液晶極性反転信号Ｍのレベルを反転させてセグメント電圧ＶＳＥＧとコモン電圧ＶＣＯＭの電圧レベルを調整した。本発明の好適な実施の形態では、液晶極性反転信号Ｍのレベルを１つのフレームごとに反転させてセグメント電圧ＶＳＥＧとコモン電圧ＶＣＯＭの電圧レベルを調整する。
【００５２】
第８１０段階では、クロック信号に応じてサブフレームの数をカウントし、１つのサブフレームがカウントされるたびにサブフレームフラグ信号を発生する。具体的には、サブフレームカウンタ５１０はクロック信号ＣＬＫに応じてサブフレームの数をカウントする。
【００５３】
ＳＴＮ−ＬＣＤの駆動方式がｎＦＲＣ方式ならば、１つのフレームはｎ個のサブフレームより構成される。サブフレームカウンタ５１０はサブフレームがカウントされるたびにサブフレームフラグ信号ＳＦＦＬＡＧを発生する。従って、ｎＦＲＣ方式ではｎ個のサブフレームフラグ信号ＳＦＦＬＡＧが発せられる。
【００５４】
第８２０段階では、所定のＮライン信号を受信し、前記クロック信号に応じてＮ本のラインがカウントされるたびにＮラインフラグ信号を発生する。具体的には、Ｎクロックカウンタ５２０はＮライン信号ＮＳを受信してＮ本のラインをカウントする。Ｎライン信号ＮＳはフレームをＮ等分（Ｎは自然数）するための情報を有する。Ｎクロックカウンタ５２０はＮ本のラインがカウントされるたびにＮラインフラグ信号ＮＬＦＬＡＧを発生する。
【００５５】
第８３０段階では、所定のＦＲＣ選択信号を受信して前記サブフレームフラグ信号の数をカウントし、ｎ個の前記サブフレームフラグ信号がカウントされるたびにフレームフラグ信号を発生する。具体的には、フレームカウンタ５３０はＦＲＣ選択信号ＦＲＣＳＥＬを受信してサブフレームフラグ信号ＳＦＦＬＡＧの数をカウントする。
【００５６】
ＦＲＣ選択信号ＦＲＣＳＥＬはＳＴＮ液晶の駆動方式がｎＦＲＣ方式（ｎは自然数）であるか否かに関する情報を有する。ＳＴＮ液晶の駆動方式が３ＦＲＣ方式ならばｎは３であり、１つのフレームは３つのサブフレームより構成される。サブフレームフラグ信号ＳＦＦＬＡＧはそれぞれのサブフレームがカウントされるたびに発せられるので、３つのサブフレームフラグ信号ＳＦＦＬＡＧが発せられる。
【００５７】
３つのサブフレームフラグ信号ＳＦＦＬＡＧが発せられると、フレームカウンタ５３０は１つのフレームフラグ信号ＦＦＬＡＧを発生する。すなわち、フレームカウンタ５３０は１つのフレームごとにフレームフラグ信号ＦＦＬＡＧを発生する。
【００５８】
第８４０段階では、選択信号に応じて前記サブフレームフラグ信号、前記Ｎラインフラグ信号及び前記フレームフラグ信号のうち一つを選択し、ＳＴＮ液晶の極性を反転させる液晶極性反転信号を発生する。従来のｎＦＲＣ方式により駆動されるＳＴＮ−ＬＣＤならば、液晶極性反転信号発生部５４０はサブフレームフラグ信号ＳＦＦＬＡＧを受信して液晶極性反転信号Ｍのレベルを反転させるであろう。
【００５９】
また、一般的なＮライン・インバージョン方式により駆動されるＳＴＮ−ＬＣＤならば、液晶極性反転信号発生部５４０はＮラインフラグ信号ＮＬＦＬＡＧを受信して液晶極性反転信号Ｍのレベルを反転させるであろう。
【００６０】
しかし、本発明の好適な実施の形態では選択信号ＭＳＥＬによりＮラインフラグ信号ＮＬＦＬＡＧやサブフレームフラグ信号ＳＦＦＬＡＧを選択できるだけではなく、１つのフレームごとに液晶極性反転信号Ｍのレベルを反転させるフレームフラグ信号ＦＦＬＡＧを選択することもできる。
【００６１】
フレームフラグ信号ＦＦＬＡＧが選択されれば、液晶極性反転信号Ｍは１つのフレームごとにレベルが反転される。選択信号ＭＳＥＬは外部から入力されるコマンドである。
【００６２】
第８５０段階では、データを受信して前記液晶極性反転信号に応じてＳＴＮ液晶のカラム電極を駆動するセグメント電圧を発生させる。具体的には、カラムドライバ５５０はデータＤＡＴＡを受信して液晶極性反転信号Ｍに応じてセグメント電圧ＶＳＥＧを発生する。ここで、図５に示すデータＤＡＴＡは液晶にディスプレイされるデータを意味する。
【００６３】
セグメント電圧ＶＳＥＧは図１に示された表に従って発生される。すなわち、液晶が暗く表示されるためにはセグメント電圧ＶＳＥＧが選択電圧レベルで発生されなければならず、液晶極性反転信号Ｍのレベルが１つのフレームごとに反転されるので、液晶極性反転信号Ｍのレベルがハイレベルの場合、セグメント電圧ＶＳＥＧは１つのフレームの間でＶ０レベルで発生する。そして、次のフレームの間には液晶極性反転信号Ｍのレベルがローレベルになるので、セグメント電圧ＶＳＥＧはＶｓｓレベルで発生する。
【００６４】
第８６０段階では、ロウ選択信号を受信して前記液晶極性反転信号に応じてＳＴＮ液晶のロウ電極を駆動するコモン電圧を発生させる。
【００６５】
具体的には、ロウドライバ５６０はロウ選択信号ＲＳＥＬを受信して液晶極性反転信号Ｍに応じてコモン電圧ＶＣＯＭを発生する。ここで、ロウ選択信号ＲＳＥＬは、コモン電圧ＶＣＯＭを液晶のロウ電極に伝送するためにロウ電極を選択する信号である。
コモン電圧ＶＣＯＭは図１に示された表に従って発生される。
【００６６】
図６は図５のＳＴＮ−ＬＣＤ駆動回路で、３ＦＲＣ方式でのセグメント電圧の波形を説明する図面である。
【００６７】
図６には従来の３ＦＲＣ方式でのセグメント電圧ＶＳＥＧの波形は点線で表されており、本発明の好適な実施の形態によるセグメント電圧ＶＳＥＧの波形は実線で示されている。従来の３ＦＲＣ方式では液晶極性反転信号Ｍのレベルがサブフレームごとに反転されたが、本発明の好適な実施の形態では液晶極性反転信号Ｍのレベルが３つのサブフレーム、すなわち１つのフレームごとに反転される。
【００６８】
黒を表す図６（Ａ）を見れば、液晶極性反転信号Ｍのレベルがハイレベルである第１フレーム１Ｆにおいて、セグメント電圧ＶＳＥＧのレベルは第１フレーム１Ｆの間でＶ０レベルに保持される。そして、液晶極性反転信号Ｍのレベルがローレベルである第２フレーム２Ｆにおいて、セグメント電圧ＶＳＥＧのレベルは第２フレーム２Ｆの間でＶｓｓレベルに保持される。
【００６９】
従って、従来のセグメント電圧ＶＳＥＧの波形と比較すると、Ｖ０レベルとＶｓｓレベルとの間での電圧トランジションが１／３に減った。従って、セグメント電圧ＶＳＥＧのレベルトランジションによる電力消費が減少されうる。
【００７０】
ダークグレイを表す図６（Ｂ）とライトグレイを表す図６（Ｃ）とを見れば、非選択電圧レベルであるＶ２レベルとＶ３レベルとが均等に使われている。また、白を表す図６（Ｄ）を見れば、従来のセグメント電圧ＶＳＥＧの波形と比較すると、非選択電圧レベルであるＶ２レベルとＶ３レベルとの間での電圧トランジションも１／３に減った。従って、セグメント電圧のレベルトランジションによる電力消費が減少されうる。
【００７１】
図７は図５のＳＴＮ−ＬＣＤ駆動回路で、４ＦＲＣ方式でのセグメント電圧の波形を説明する図面である。
【００７２】
図７でも従来の４ＦＲＣ方式でのセグメント電圧ＶＳＥＧの波形は点線で示されており、本発明の好適な実施の形態によるセグメント電圧ＶＳＥＧの波形は実線で示されている。従来の４ＦＲＣ方式では液晶極性反転信号Ｍのレベルがサブフレームごとに反転されたが、本発明の好適な実施の形態では液晶極性反転信号Ｍのレベルが４つのサブフレーム、すなわち１つのフレームごとに反転される。
黒を表す図７（Ａ）を見れば、液晶極性反転信号Ｍのレベルがハイレベルである第１フレーム１Ｆにおいて、セグメント電圧ＶＳＥＧのレベルは第１フレーム１Ｆの間でＶ０レベルに保持される。そして、液晶極性反転信号Ｍのレベルがローレベルである第２フレーム２Ｆにおいて、セグメント電圧ＶＳＥＧのレベルは第２フレーム２Ｆの間でＶｓｓレベルに保持される。
【００７３】
従って、従来のセグメント電圧ＶＳＥＧの波形と比較すると、Ｖ０レベルとＶｓｓレベルとの間での電圧トランジションが１／４に減った。従って、セグメント電圧ＶＳＥＧのレベルトランジションによる電力消費が減少されうる。
【００７４】
図７（Ｂ）、図７（Ｃ）及び図７（Ｄ）を見れば、非選択電圧レベルであるＶ２レベルとＶ３レベルとが均等に使われている。また、白を表す図７（Ｅ）を見れば、従来のセグメント電圧ＶＳＥＧの波形と比較すると、非選択電圧レベルであるＶ２レベルとＶ３レベルとの間での電圧トランジションも１／４に減った。従って、セグメント電圧ＶＳＥＧのレベルトランジションによる電力消費が減少されうる。
【００７５】
そして、選択電圧と非選択電圧とが均等に使われるので、クロストーク現象も問題にならない。
【００７６】
図１０は本発明の他の好適な実施の形態によるＳＴＮ−ＬＣＤの駆動方法を示すブロック図である。
【００７７】
図１１は図１０の方法に更に含まれるＳＴＮ−ＬＣＤの駆動方法を示すブロック図である。
【００７８】
図１０及び図１１を参照すれば、ＳＴＮ−ＬＣＤの駆動方法１０００では、まず、第１０１０段階では、ＦＲＣ選択信号を受信してｎＦＲＣ方式であるか否かを判断する。
【００７９】
ＦＲＣ選択信号はＳＴＮ−ＬＣＤを駆動する方式がｎＦＲＣ方式であるか否かを説明する情報を有する。ｎＦＲＣ方式の場合、１つのフレームはｎ個のサブフレームより構成される。
【００８０】
第１０２０段階では、サブフレームの数をカウントする。そして、第１０３０段階では、サブフレームの数がｎ個ならば、液晶の極性を反転させる液晶極性反転信号を発生する。
【００８１】
ｎＦＲＣ方式の場合、１つのフレームはｎ個のサブフレームより構成されるので、結局１つのフレームごとに液晶極性反転信号が発せられる。液晶極性反転信号が発せられれば、液晶の極性が反転されて液晶の固形化が防止される。
【００８２】
１つのフレームごとに液晶極性反転信号を発生する様々な方法があり得るが、サブフレームの数をカウントするカウンタを利用してｎ個のサブフレームをカウントするたびに液晶極性反転信号を発生するのも一つの方法である。１つのフレームがｎＦＲＣ方式ではｎ個のサブフレームより構成されるので、ｎ個のサブフレームがカウントされれば１つのフレームがカウントされたのに等しいためである。
【００８３】
第１０４０段階では、データを受信して前記液晶極性反転信号に応じてＳＴＮ液晶のカラム電極を駆動するセグメント電圧を発生させる。そして、第１０５０段階では、ロウ選択信号を受信して前記液晶極性反転信号に応じてＳＴＮ液晶のロウ電極を駆動するコモン電圧を発生させる。第１０４０段階は第８５０段階と、第１０５０段階は第８６０段階と、実質的に同様なので、詳細な説明を省略する。
【００８４】
本発明の技術的課題を達成するためのさらに他の好適な実施の形態として、ｎＦＲＣ方式により駆動されるＳＴＮ−ＬＣＤの駆動方法は１つのフレームごとに液晶の極性を反転させる段階を含むことができる。
【００８５】
ｎＦＲＣ方式により駆動されるＳＴＮ−ＬＣＤは液晶の固形化を防止するために一般的にはサブフレームごとに液晶の極性を反転させる。しかし、本発明の好適な実施の形態では１つのフレームごとに液晶の極性を反転させ、反転された液晶の極性によりセグメント電圧のレベルも変わるようになる。
【００８６】
１つのフレームごとに液晶の極性を反転させれば、セグメント電圧の選択電圧と非選択電圧とが均等に使われるので、クロストーク現象の問題も防止されて電力消耗も減る。１つのフレームごとに液晶極性反転信号を発生する方法はさまざまあり、そのうちの一つの好適な実施の形態が前述されたので説明を省略する。
【００８７】
以上のように図面と明細書とで発明を実施するための最良の形態が開示された。ここで、特定の用語が使われたが、それは単に本発明を説明するための目的に使われたのであって意味を限定したり特許請求の範囲に記載された本発明の範囲を制限したりするために使われたのではない。従って、当業者であればこれらから多様な変形及び均等な他の実施形態が可能であるという点を理解できるであろう。従って、本発明の真の技術的保護範囲は特許請求の範囲の記載に基づいて定められるものである。
【産業上の利用可能性】
【００８８】
本発明はＳＴＮ−ＬＣＤのパネルを駆動する駆動回路に係り、例えば、主に計算機や移動電話機のディスプレイ部分のように簡単な数字や文字を表示する画像ディスプレイ用に使われうる。
【図面の簡単な説明】
【００８９】
【図１】ＦＲＣ方式における液晶極性反転信号によるＳＴＮ液晶の駆動電圧のレベルを示した表である。
【図２】従来の３ＦＲＣ方式によるＳＴＮ液晶駆動方式におけるセグメント電圧の波形を説明する図面である。
【図３】従来の４ＦＲＣ方式によるＳＴＮ液晶駆動方式におけるセグメント電圧の波形を説明する図面である。
【図４】Ｎライン・インバージョン方式によるＳＴＮ液晶駆動方式におけるセグメント電圧の波形を説明する図面である。
【図５】本発明の好適な実施の形態によるＳＴＮ−ＬＣＤ駆動回路を示すブロック図である。
【図６】図５のＳＴＮ−ＬＣＤ駆動回路において、３ＦＲＣ方式の場合のセグメント電圧の波形を説明する図面である。
【図７】図５のＳＴＮ−ＬＣＤ駆動回路において、４ＦＲＣ方式でのセグメント電圧の波形を説明する図面である。
【図８】本発明の好適な実施の形態によるＳＴＮ−ＬＣＤの駆動方法を示すブロック図である。
【図９】図８の方法に更に含まれるＳＴＮ ＬＣＤの駆動方法を示すブロック図である。
【図１０】本発明の他の好適な実施の形態によるＳＴＮ−ＬＣＤの駆動方法を示すブロック図である。
【図１１】図１０の方法に更に含まれるＳＴＮ−ＬＣＤの駆動方法を示すブロック図である。
【符号の説明】
【００９０】
５００  ＳＴＮ−ＬＣＤ駆動装置
５１０  サブフレームカウンタ
５２０  Ｎクロックカウンタ
５３０  フレームカウンタ
５４０  液晶極性反転信号発生部
５５０  カラムドライバ
５６０  ロウドライバ
【図１】
2004170981.tif 000003
【図２】
2004170981.tif 000004
【図３】
2004170981.tif 000005
【図４】
2004170981.tif 000006
【図５】
2004170981.tif 000007
【図６】
2004170981.tif 000008
【図７】
2004170981.tif 000009
【図８】
2004170981.tif 000010
【図９】
2004170981.tif 000011
【図１０】
2004170981.tif 000012
【図１１】
2004170981.tif 000013